【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
複数の樹脂層からなる化粧シートであって、
前記樹脂層のうち少なくとも１層が、結晶性ポリプロピレン樹脂１００重量部に対して、波長５５０ｎｍの光の屈折率１．４６〜１．５２の無機フィラー５〜２００重量部と超臨界逆相蒸発法によってベシクルに分散剤を内包させた分散剤内包ベシクルとを添加した結晶性ポリプロピレン樹脂組成物からなる層として形成されていることを特徴とする化粧シート。
【請求項２】
前記無機フィラーが、ガラスフィラーであることを特徴とする請求項１に記載の化粧シート。
【請求項３】
前記分散剤が、高分子系の界面活性剤、脂肪酸金属塩、シランカップリング剤、チタネートカップリング剤、シリコーン、ワックスまたは変性樹脂のいずれか１つであることを特徴とする請求項１または請求項２に記載の化粧シート。
【請求項４】
前記結晶性ポリプロピレン樹脂が、アイソタクチックペンタット分率（ｍｍｍｍ分率）９５％以上である高結晶性ホモポリプロピレン樹脂であることを特徴とする請求項１乃至請求項３のいずれか１項に記載の化粧シート。
【請求項５】
複数の樹脂層からなる化粧シートの製造方法であって、
前記樹脂層のうち少なくとも１層を、結晶性ポリプロピレン樹脂１００重量部に対して、波長５５０ｎｍの光の屈折率１．４６〜１．５２の無機フィラー５〜２００重量部と超臨界逆相蒸発法によってベシクルに分散剤を内包させた分散剤内包ベシクルとを添加した結晶性ポリプロピレン樹脂組成物からなる層として形成することを特徴とする化粧シートの製造方法。
【手続補正２】
【補正対象書類名】明細書
【補正対象項目名】発明の名称
【補正方法】変更
【補正の内容】
【発明の名称】化粧シートおよび化粧シートの製造方法
【手続補正３】
【補正対象書類名】明細書
【補正対象項目名】０００１
【補正方法】変更
【補正の内容】
【０００１】
本発明は、建築内装材、玄関ドアなどの建築外装部材、床材、建具の表面、家電品の表面材等に用いられる化粧シートおよび化粧シートの製造方法に関するもので、超臨界逆相蒸発法によりベシクル化された分散剤と無機フィラーとを添加してなる結晶性ポリプロピレン樹脂組成物からなる層を有している化粧シートおよび化粧シートの製造方法に関する。
【手続補正４】
【補正対象書類名】明細書
【補正対象項目名】０００６
【補正方法】変更
【補正の内容】
【０００６】
ここで、本発明者等は、特許文献２に開示している超臨界逆相蒸発法によってベシクルに分散剤を内包させた分散剤内包ベシクルと、フィラーとをポリプロピレン樹脂材料に添加することで、フィラーをポリプロピレン樹脂材料中に均一に分散させたポリオレフィン樹脂組成物を完成させた。
【手続補正５】
【補正対象書類名】明細書
【補正対象項目名】０００７
【補正方法】変更
【補正の内容】
【０００７】
本発明においては、前述の超臨界逆相蒸発法によってベシクルに分散剤を内包させた分散剤内包ベシクルとフィラーとを結晶性ポリプロピレン樹脂材料に添加する方法を用いて、耐擦傷性および意匠性に優れた化粧シートおよび化粧シートの製造方法を提供することを目的とする。
【手続補正６】
【補正対象書類名】明細書
【補正対象項目名】０００８
【補正方法】変更
【補正の内容】
【０００８】
上記課題を達成するべく、本発明の第１の態様の化粧シートは、複数の樹脂層からなる化粧シートであって、前記樹脂層のうち少なくとも１層が、結晶性ポリプロピレン樹脂１００重量部に対して、波長５５０ｎｍの光の屈折率１．４６〜１．５２の無機フィラー５〜２００重量部と超臨界逆相蒸発法によってベシクルに分散剤を内包させた分散剤内包ベシクルとを添加した結晶性ポリプロピレン樹脂組成物からなる層として形成されていることを特徴とする。
【手続補正７】
【補正対象書類名】明細書
【補正対象項目名】０００９
【補正方法】変更
【補正の内容】
【０００９】
このような、本発明の第１の態様の化粧シートにおいては、超臨界逆相蒸発法によってベシクルに分散剤を内包させた分散剤内包ベシクルが添加されていることにより、結晶性ポリプロピレン樹脂組成物中において当該分散剤を均一に分散させるとともに、当該分散剤の分散力によって無機フィラーの２次凝集を防いで均一に分散させることができるので、無機フィラーを多量に添加しても結晶性ポリプロピレン樹脂と無機フィラーとの界面における十分な接着強度を得られため、耐擦傷性に優れた化粧シートを提供することができる。
【手続補正８】
【補正対象書類名】明細書
【補正対象項目名】００１４
【補正方法】変更
【補正の内容】
【００１４】
本発明の第４の態様の化粧シートは、前記結晶性ポリプロピレン樹脂が、アイソタクチックペンタット分率（ｍｍｍｍ分率）９５％以上である高結晶性ホモポリプロピレン樹脂であることを特徴とする。このような、本発明の第４の態様の化粧シートにおいては、優れた耐擦傷性を備えた化粧シートを提供することができる。
【手続補正９】
【補正対象書類名】明細書
【補正対象項目名】００１５
【補正方法】変更
【補正の内容】
【００１５】
本発明の化粧シートの製造方法は、複数の樹脂層からなる化粧シートの製造方法であって、前記樹脂層のうち少なくとも１層を、結晶性ポリプロピレン樹脂１００重量部に対して、波長５５０ｎｍの光の屈折率１．４６〜１．５２の無機フィラー５〜２００重量部と超臨界逆相蒸発法によってベシクルに分散剤を内包させた分散剤内包ベシクルとを添加した結晶性ポリプロピレン樹脂組成物からなる層として形成することを特徴とする。
【手続補正１０】
【補正対象書類名】明細書
【補正対象項目名】００１６
【補正方法】変更
【補正の内容】
【００１６】
本発明の化粧シートおよび化粧シートの製造方法によれば、超臨界逆相蒸発法によってベシクルに分散剤を内包させた分散剤内包ベシクルと無機フィラーとを結晶性ポリプロピレン樹脂材料に添加する方法を用いて、耐擦傷性および意匠性に優れた化粧シートおよび化粧シートの製造方法を提供することを可能とする。
【手続補正１１】
【補正対象書類名】明細書
【補正対象項目名】００１８
【補正方法】変更
【補正の内容】
【００１８】
本発明の化粧シートは、複数の樹脂層からなる化粧シートであって、当該樹脂層のうち少なくとも１層が、結晶性ポリプロピレン樹脂１００重量部に対して、波長５５０ｎｍの光の屈折率１．４６〜１．５２の無機フィラー５〜２００重量部と超臨界逆相蒸発法によってベシクルに分散剤を内包させた分散剤内包ベシクルとを添加した結晶性ポリプロピレン樹脂組成物からなる層として形成されているものである。
【手続補正１２】
【補正対象書類名】明細書
【補正対象項目名】００２２
【補正方法】変更
【補正の内容】
【００２２】
本発明の化粧シートの結晶性ポリプロピレン樹脂組成物を調製する際においては、超臨界逆相蒸発法によってベシクルに分散剤を内包させた分散剤内包ベシクルを用いることが特に重要である。ベシクルとは、球殻状に閉じた膜構造を有する小胞（カプセル）で内部に液相を含むものの総称であり、特に、外膜がリン脂質のような生体脂質から構成されるベシクルをリポソームと称する。このような、ベシクル化された状態の分散剤内包ベシクルは極めて分散性に優れており、当該分散剤内包ベシクル、無機フィラーおよび結晶性ポリプロピレン樹脂を混練した際に、これらの混合物中において当該分散剤内包ベシクルが凝集することなく均一に分散するため、無機フィラーの粒子間にも当該分散剤内包ベシクルが侵入して、無機フィラーが凝集することをも防止し、結晶性ポリプロピレン樹脂中に無機フィラーを均一に分散させることを可能とする。
【手続補正１３】
【補正対象書類名】明細書
【補正対象項目名】００３２
【補正方法】変更
【補正の内容】
【００３２】
透明樹脂層４としては、アイソタクチックペンタット分率（ｍｍｍｍ分率）が９５％以上の高結晶性ホモポリプロピレン樹脂が用いられていることが好ましい。そして、本発明の化粧シート１においては、当該高結晶性ホモポリプロピレン樹脂に対して、波長５５０ｎｍの光の屈折率１．４６〜１．５２の無機フィラー５〜２００重量部および超臨界逆相蒸発法によりベシクルに分散剤を内包させた分散剤内包ベシクルが添加されていることが重要である。ここで、アイソタクチックペンタット分率とは、質量１３の炭素Ｃ（核種）を用いた１３Ｃ−ＮＭＲ測定法（核磁気共鳴測定法）により、上記透明樹脂層を構成する樹脂組成物を所定の共鳴周波数にて共鳴させて得られる数値（電磁波吸収率）から算出されるものであり、樹脂組成物中の原子配置、電子構造、分子の微細構造を規定するものである。ポリプロピレン樹脂のペンタット分率とは、１３Ｃ−ＮＭＲにより求めたプロピレン単位が５個並んだ割合のことであって、結晶化度あるいは立体規則性の尺度として用いられている。主に表面の耐擦傷性を決定付ける重要な要因の一つであり、基本的にはペンタット分率が高いほどシートの結晶化度が高くなるため、耐擦傷性に優れた透明樹脂層４とすることができる。
【手続補正１４】
【補正対象書類名】明細書
【補正対象項目名】００４３
【補正方法】変更
【補正の内容】
【００４３】
以上のように、本発明の化粧シート１においては、結晶性ポリプロピレン樹脂組成物からなる層としての透明樹脂層４について、結晶性ポリプロピレン樹脂１００重量部に対して、波長５５０ｎｍの光の屈折率１．４６〜１．５２の無機フィラーを５〜２００重量部という高い割合で充填した結晶性ポリプロピレン樹脂組成物に対して、さらに超臨界逆相蒸発法によってベシクルに分散剤を内包させた分散剤内包ベシクルを添加しているため、結晶性ポリプロピレン樹脂中において、分散剤内包ベシクルの高い分散性によって当該分散剤と無機フィラーとが均一に分散・混合されていることで、無機フィラーの凝集に伴う結晶性ポリプロピレン樹脂の白濁化が抑制されて意匠性に優れるとともに、硬い無機フィラーの添加によって耐擦傷性に優れた化粧シート１とすることができる。
【手続補正１５】
【補正対象書類名】明細書
【補正対象項目名】００４４
【補正方法】変更
【補正の内容】
【００４４】
さらに、結晶性ポリプロピレン樹脂中において、分散剤内包ベシクルの高い分散性によって当該分散剤内包ベシクルと無機フィラーとが均一に分散・混合されていることで、結晶性ポリプロピレン樹脂と無機フィラーとの界面において優れた接着強度を実現し、摩擦を伴う使用状況においても無機フィラーの脱落を抑制することができるので、脱落した無機フィラーの粒子によって生じるアブレシブ摩耗の発生を防止することができる。その結果、長期の使用においても摩耗や傷の発生による意匠の低下の少ない化粧シート１を提供することを可能とする。
【手続補正１６】
【補正対象書類名】明細書
【補正対象項目名】００６３
【補正方法】変更
【補正の内容】
【００６３】
本発明の化粧シート１および化粧シート１の製造方法は、上記の実施形態および実施例に限定されるものではなく、発明の特徴を損なわない範囲において種々の変更が可能である。